(57)【要約】【課題】信号線を簡易な構造で保持し、信号線の撓みを防止できる配線保持装置を提供すること。【解決手段】配線保持装置１０７は、安定した所定の形状から変形された場合に、変形の度合いに応じた復元力を発生させる信号線１０６と、信号線１０６を巻回させ、変形させた状態で収容するハウジング３０１と、を備える。信号線１０６が引っ張られた場合には、ハウジング３０１内部に収容されていた信号線１０６が、ハウジング３０１外部へ引き出される。信号線１０６を引っ張っている力が減少した場合には、信号線１０６の復元力により、信号線１０６がハウジング３０１内部に引き込まれる。【選択図】図３
2008289731.tif 000002
【特許請求の範囲】
【請求項１】
電子機器同士を接続する信号線を保持する配線保持装置において、
安定した所定の形状から変形された場合に、変形の度合いに応じた復元力を発生させる信号線と、
巻回状に変形された状態の前記信号線を保持する保持部材と、
を備えることを特徴とする配線保持装置。
【請求項２】
前記保持部材は、
巻回状に変形された状態の前記信号線を収容するハウジングと、
前記ハウジングに開口形成され、前記信号線を引き出すための開口部と、
を備えたことを特徴とする請求項１に記載の配線保持装置。
【請求項３】
前記保持部材は、
前記ハウジングの内部に、巻回状に変形された状態の前記信号線の巻き径の大きさを規制する所定径の内壁を備えたことを特徴とする請求項１または２に記載の配線保持装置。
【請求項４】
前記保持部材は、
同心円状であり、それぞれの径が異なる複数の内壁を有することを特徴とする請求項３に記載の配線保持装置。
【請求項５】
前記保持部材は、
安定した所定の形状から変形された場合に、変形の度合いに応じた復元力を発生させる可撓性の部材からなることを特徴とする請求項１に記載の配線保持装置。
【請求項６】
前記保持部材は、
巻回状に変形された状態の前記信号線を覆うとともに、安定した所定の形状から変形された場合に、変形の度合いに応じた復元力を発生させるチューブ部材からなることを特徴とする請求項５に記載の配線保持装置。
【請求項７】
前記信号線は、少なくとも２回以上巻回されることを特徴とする請求項１〜５のいずれか一つに記載の配線保持装置。
【請求項８】
前記信号線の両端には、前記電子機器の接続端子に接続される固定部材を備えたことを特徴とする請求項１〜７のいずれか一つに記載の配線保持装置。
【請求項９】
前記信号線の一端側は、
パチンコ遊技機または回胴遊技機に設けられた非接触ＩＣタグまたは前記非接触ＩＣタグからの信号を受信する受信アンテナと接続され、
前記信号線の他端側は、
前記パチンコ遊技機または前記回胴遊技機の外に設けられ、前記非接触ＩＣタグからの信号情報に基づいて不正を検出する検出装置と接続されることを特徴とする請求項１〜８のいずれか一つに記載の配線保持装置。
【発明の詳細な説明】
【技術分野】
【０００１】
この発明は、パチンコ遊技機や回胴遊技機などの各種遊技機に設けられた信号線を保持する配線保持装置に関する。
【背景技術】
【０００２】
従来、たとえば、パチンコ遊技機は、大当たり入賞が生成された乱数に基づき、所定の確率で発生するようにあらかじめプログラムされた基板を備えるものがある。大当たり入賞においては、たとえば、大入賞口が一定の期間開放を所定し、入賞した遊技球に応じ、賞球数の払い出しをおこなう。そして、顧客（遊技者）は獲得した賞球数に応じて、所望の景品を獲得することができる。したがって、いかに多くの遊技球を入賞口に入賞させることができるかが遊技の鍵となる。そのため、遊技者の中には、不正に賞球を得るため、パチンコ遊技機の大当たり確率を変更した不正な基板（いわゆる裏ロム）に交換するといった不正行為をおこなう、いわゆるゴト師が後を絶たないのが現状である。これによって、パチンコ店を営む店舗が被る損害も甚大なものになっている。
【０００３】
上述した現状を踏まえ、パチンコ遊技機メーカは、あらかじめ非接触ＩＣタグなどを配設した基板（もしくは基板ケース）を搭載したパチンコ遊技機の開発をおこなっている。しかし、すでに店舗に導入されている機種においては、非接触ＩＣタグを別途に購入し、装着する必要がある。この場合、機種によって、非接触ＩＣタグを配設する場所が異なったり、当該非接触ＩＣタグの情報を検出する検出装置の場所がパチンコ遊技機の隣に配置された遊技媒体貸出装置内に設けられたりする場合がある。
【０００４】
図１０は、従来のパチンコ遊技機の背面を示す説明図（その１）である。図１０に示すように、パチンコ遊技機１００１は、遊技媒体貸出装置１００２と接続された状態で設置される。パチンコ遊技機１００１は、電子部品が実装された複数の基板を有する本体部１００１ａと、本体部１００１ａを囲むようにして形成された機枠１００１ｂと、によって構成される。
【０００５】
本体部１００１ａは、機枠１００１ｂに対して、図１０中符号Ａで示す軸を回転軸として正面側方向に回転可能に設けられている。たとえば、パチンコ遊技機１００１のメンテナンスをおこなう際には、本体部１００１ａを機枠１００１ｂに対して正面側へ回動され開放される。基板近傍には、非接触ＩＣタグ１００３が配設されている。受信アンテナ１００４は、信号線１００６によって、遊技媒体貸出装置１００２に設けられた検出器１００５と接続され、不正基板への交換があったか否かを検出する。
【０００６】
ここで、受信アンテナ１００４と、検出器１００５と、に接続された信号線１００６の長さは、メンテナンスなどで本体部１００１ａを開く必要性から、もっとも長さが必要な状態（すなわち、本体部１００１ａがもっとも正面側へ回動された状態）での長さで設計される。
【０００７】
図１１は、従来のパチンコ遊技機の背面を示す説明図（その２）である。このため、本体部１００１ａを閉じる際には、図１０に示したように、余剰な長さの分の信号線１００６が撓み、撓んだ信号線１００６が、本体部１００１ａと、機枠１００１ｂとの間に挟まれ断線したり、作業者の手が引っかかるなどして作業性が低下したりするという問題があった。このため、たとえば、あらかじめ余剰な長さの分の配線を収容装置内部に収容する配線収容装置を備えるものがある（たとえば、下記特許文献１参照。）。
【０００８】
【特許文献１】特開２００４−４１２９１号公報
【発明の開示】
【発明が解決しようとする課題】
【０００９】
しかしながら、上記特許文献１にかかる従来技術にあっては、たとえば、配線の両端の位置が固定されている状態での接続を前提としているため、必要な配線の長さが変化する場合（たとえば、配線の一端側の位置が変位する場合）などには対応できないという問題が一例として挙げられる。すなわち、あらかじめ、配線の両端の位置が固定されている場合は、余剰な分の配線は収容できるが、一端側が接続された非接触ＩＣタグ（受信アンテナ）の取り付け位置が変わるなどして、必要な配線の長さが変化する場合には対応できず、この場合、上述したように撓んだ配線が断線したり、作業性を低下させたりするという問題があった。
【００１０】
この発明は、上述した従来技術による問題点を解消するため、取り付け位置を選ばず、信号線を簡易な構造で保持できるとともに、信号線の撓みを防止でき、本体部と機枠との間に信号線が挟まれることを防止でき、配線の作業性を向上できる配線保持装置を提供することを目的とする。
【課題を解決するための手段】
【００１１】
上述した課題を解決し、目的を達成するために、請求項１にかかる配線保持装置は、電子機器同士を接続する信号線を保持する配線保持装置において、安定した所定の形状から変形された場合に、変形の度合いに応じた復元力を発生させる信号線と、巻回状に変形された状態の前記信号線を保持する保持部材と、を備えたことを特徴とする。
【００１２】
また、請求項２にかかる配線保持装置は、上記に記載の発明において、前記保持部材は、巻回状に変形された状態の前記信号線を収容するハウジングと、前記ハウジングに開口形成され、前記信号線を引き出すための開口部と、を備えたことを特徴とする。
【００１３】
また、請求項３にかかる配線保持装置は、上記に記載の発明において、前記保持部材は、前記ハウジングの内部に、巻回状に変形された状態の前記信号線の巻き径の大きさを規制する所定径の内壁を備えたことを特徴とする。
【００１４】
また、請求項４にかかる配線保持装置は、上記に記載の発明において、前記保持部材は、同心円状であり、それぞれの径が異なる複数の内壁を有することを特徴とする。
【００１５】
また、請求項５にかかる配線保持装置は、上記に記載の発明において、前記保持部材は、安定した所定の形状から変形された場合に、変形の度合いに応じた復元力を発生させる可撓性の部材からなることを特徴とする。
【００１６】
また、請求項６にかかる配線保持装置は、上記に記載の発明において、前記保持部材は、巻回状に変形された状態の前記信号線を覆うとともに、安定した所定の形状から変形された場合に、変形の度合いに応じた復元力を発生させるチューブ部材からなることを特徴とする。
【００１７】
また、請求項７にかかる配線保持装置は、上記に記載の発明において、前記信号線は、少なくとも２回以上巻回されることを特徴とする。
【００１８】
また、請求項８にかかる配線保持装置は、上記に記載の発明において、前記信号線の両端には、前記電子機器の接続端子に接続される固定部材を備えたことを特徴とする。
【００１９】
また、請求項９にかかる配線保持装置は、上記に記載の発明において、前記信号線の一端側は、パチンコ遊技機または回胴遊技機に設けられた非接触ＩＣタグまたは前記非接触ＩＣタグからの信号を受信する受信アンテナと接続され、前記信号線の他端側は、前記パチンコ遊技機または前記回胴遊技機の外に設けられ、前記非接触ＩＣタグからの信号情報に基づいて不正を検出する検出装置と接続されることを特徴とする。
【００２０】
上記の構成によれば、信号線の復元力を利用することにより、信号線の撓みを防止することができる。これにより、信号線が本体部と機枠との間に挟まれることを防止することができる。これにより、本体部と機枠とに信号線が挟まり、信号線が断線することを防止することができる。また、保持部材内での信号線の巻き径を規制することにより、所望の信号線の長さを得ることができる。
【００２１】
また、信号線の復元力が弱い場合でも、チューブ部材を用いることにより、信号線の撓みを防止することができる。これにより、信号線の構成に関わらず、信号線が本体部と機枠との間に挟まれることを防止することができる。
【００２２】
また、信号線は、保持部材から引き出し自在であるため、取り付け位置を選ばず、柔軟に配線することができる。
【発明の効果】
【００２３】
本発明にかかる配線保持装置によれば、取り付け位置を選ばず、信号線を簡易な構造で保持できるとともに、信号線の撓みを防止でき、本体部と機枠との間に信号線が挟まれることを防止でき、配線の作業性を向上できるという効果を奏する。
【発明を実施するための最良の形態】
【００２４】
以下に添付図面を参照して、この発明にかかる配線保持装置の好適な実施の形態を詳細に説明する。以下に示す、実施の形態は、この発明にかかる配線保持装置をパチンコ遊技機に適用した一例である。
【００２５】
（実施の形態１）
（パチンコ遊技機の基本構成）
まず、この発明の実施の形態１にかかる配線保持装置を適用したパチンコ遊技機について説明する。図１は、実施の形態１の配線保持装置を適用したパチンコ遊技機を示す背面図（その１）である。図示の例では、パチンコ遊技機１０１は、本体部１０１ａが機枠１０１ｂに嵌め込まれており、遊技媒体貸出装置１０２と接続されている。
【００２６】
本体部１０１ａは、公知の技術のため図示および説明を省略するが、主基板、演出基板、賞球基板などの複数の各種制御基板が設けられている。また、本体部１０１ａは、これらの各種制御基板を覆う基板ケース１１０（１１０ａ、１１０ｂ、１１０ｃ）と、該基板ケース１１０ｃを覆う裏カバー１２０と、を有している。
【００２７】
具体的には、たとえば、基板ケース１１０は、透明ケースによって形成されており、外部から主基板、演出基板、賞球基板などの各種制御基板の不正改造や、不正基板への交換ができないように該各種制御基板の上面および側面を覆う構成である。具体的には、たとえば、主基板は基板ケース１１０ａ、賞球基板は基板ケース１１０ｂ、演出基板は基板ケース１１０ｃにそれぞれ覆われている。
【００２８】
また、裏カバー１２０は、透明ケースによって構成されており、基板ケース１１０ｃの外側に配設されている接続ケーブルを保護する。具体的には、たとえば、裏カバー１２０は、各種制御基板やその他本体部１０１ａの部品に接続される接続ケーブルを保護する構成である。
【００２９】
遊技媒体貸出装置１０２は、パチンコ店などの遊技場に設置される遊技機（たとえば、パチンコ遊技機、回胴式遊技機）での遊技に使用する遊技球や遊技メダルなどの遊技媒体を貸し出すコンピュータ装置である。すなわち、遊技媒体貸出装置１０２は、たとえば、パチンコ遊技者から投入された入金情報に応じて、遊技媒体の貸し出しに関する信号をパチンコ遊技機１０１に送信する機能を有する。この遊技媒体貸出装置１０２は、たとえば、隣接する遊技機と一対一で設置される。図示しない配線によりパチンコ遊技機１０１との間で信号を送受する。
【００３０】
そして、パチンコ遊技機１０１には、基板ケース１１０や各種制御基板に非接触ＩＣ（Ｉｎｔｅｇｒａｔｅｄ  Ｃｉｒｃｕｉｔ）タグ１０３が設置される。また、遊技媒体貸出装置１０２には、該非接触ＩＣタグ１０３からの電波を受信する受信アンテナ１０４が設置される。検出器１０５は、受信アンテナ１０４によって受信される非接触ＩＣタグ１０３からの電波の状態によって、基板ケース１１０や各種制御基板への不正行為を検知する。受信アンテナ１０４と、検出器１０５とは、信号線１０６により接続される。
【００３１】
信号線１０６は、芯線と、絶縁体被覆と、から構成される。芯線は、たとえば、銅などの導電体が用いられ、一端側から入力された信号を他端側へ伝達する。絶縁体被覆は、たとえば、ポリエチレン、ポリプロピレン、ポリ塩化ビニル、ゴムなどが用いられ、導体と外部との接触、信号の損失などを防止する。
【００３２】
信号線１０６は、安定した所定の形状から変形された場合に、変形の度合いに応じた復元力を発生させる。安定した所定の形状とは、たとえば、真っ直ぐな形状である。復元力は、芯線または絶縁体被覆の単体のみで生じさせるものとしてもよいし、芯線および絶縁体被覆の両方で生じさせるものとしてもよい。信号線１０６は、この復元力によって、常時、ほぼ撓まない構成となっている。信号線１０６の両端は、たとえば、一端側１０６ａは受信アンテナ１０４と半田付けされ、他端側１０６ｂは検出器１０５に設けられた端子と端子接続される。
【００３３】
配線保持装置１０７は、信号線１０６を保持する。配線保持装置１０７は、たとえば、信号線１０６の中央付近に、ぶら下がっており、配線保持装置１０７を中心として、配線保持装置１０７内に信号線１０６を引き込む。
【００３４】
図２は、実施の形態１の配線保持装置を適用したパチンコ遊技機を示す正面図である。遊技盤２０１の下部位置に配置された発射部（図示を省略する）の駆動によって発射された遊技球は、レール２０２ａ，２０２ｂ間を上昇して遊技盤２０１の上部位置に達した後、遊技領域２０３内を落下する。遊技領域２０３には、図示を省略する複数の釘が設けられ、遊技球を各種の方向に向けて落下させるとともに、落下途中の位置には、遊技球の落下方向を変化させる風車や、入賞口が配設されている。
【００３５】
遊技盤２０１の遊技領域２０３の中央部分には、図柄表示部２０４が配置されている。図柄表示部２０４としては、たとえば液晶表示器（ＬＣＤ）が用いられる。なお、図柄表示部２０４としては、ＬＣＤに限らずＣＲＴなどを用いることもできる。図柄表示部２０４の下方には、始動入賞させるための始動入賞口２０５が配設されている。図柄表示部２０４の左側には、入賞ゲート２０６が配設されている。
【００３６】
入賞ゲート２０６は、遊技球の通過を検出し、始動入賞口２０５を一定時間だけ開放させる抽選をおこなうために設けられる。図柄表示部２０４の側部や下方などには普通入賞口２０７が配設されている。普通入賞口２０７に遊技球が入賞すると、普通入賞時の賞球数（たとえば１０個）の払い出しをおこなう。遊技領域２０３の最下部には、どの入賞口にも入賞しなかった遊技球を回収する回収口２０８が設けられている。
【００３７】
上述した図柄表示部２０４は、特定の入賞口に遊技球が入賞したとき（始動入賞時）に、複数の図柄の表示の変動を開始させ、所定時間後に図柄が停止する。この停止時に特定図柄（たとえば「７７７」）に揃ったとき、大当たり状態となる。大当たり状態のとき、下方に位置する大入賞口２０９が一定の期間開放を所定ラウンド（たとえば１５ラウンド）繰り返し、入賞した遊技球に対応した賞球数を払い出す。
【００３８】
遊技媒体貸出装置１０２は、紙幣投入口２１１と、ディスプレイ２１２と、操作ボタン２１３と、会員カード投入口２１４と、精算コイン投入口２１５と、精算コイン返却口２１６と、を備えている。
【００３９】
紙幣投入口２１１は、遊技媒体の借り入れ時に投入される紙幣を受け付ける。ディスプレイ２１２は、紙幣投入口２１１に投入された紙幣の投入金額や遊技機の異常を示す異常情報を表示する。操作ボタン２１３は、機能設定に関する各種の入力や遊技者による暗証番号の入力などを受け付ける。
【００４０】
会員カード投入口２１４は、遊技場の会員に対して発行される会員カードの投入を受け付け、また、投入された会員カードの返却をおこなう。精算コイン投入口２１５は、たとえば、会員以外の遊技者、いわゆるビジターである遊技者が使用する精算コインの投入を受け付ける。精算コイン返却口２１６は、遊技終了時などに、残額のある精算コインを返却する。
【００４１】
（実施の形態１の配線保持装置の構成）
つぎに、この発明の実施の形態１にかかる配線保持装置について説明する。図３は、実施の形態１の配線保持装置を示す斜視図（その１）である。図３に示したように、実施の形態１の配線保持装置１０７は、信号線１０６と、ハウジング３０１と、を備えている。
【００４２】
ハウジング３０１は、たとえば、底面が一辺の長さＤの正方形で奥行きＷの立方体形状であり、無色透明なプラスチックなどによって形成されている。ハウジング３０１には、両側面に開口部３０２ａ、３０２ｂが開口形成されている。開口部３０２ａ、３０２ｂは、側面の長手方向の一端側に、一対で形成されている。また、ハウジング３０１の、開口部３０２ａ、３０２ｂをつなぐ線の中央下部には、略円柱形状に形成された突起部３０３が立設されている。突起部３０３の直径は、Ｄに比べ、十分に小さく形成される。突起部３０３は、信号線１０６の、片寄りを防止するとともにハウジング３０１外部への飛び出しを防止する。
【００４３】
信号線１０６は、ハウジング３０１内部で所定回数、長手方向に巻回された状態で収容されている（図３では、２回）。信号線１０６の両端部１０６ａ、１０６ｂは、開口部３０２ａ、３０２ｂを介してハウジング３０１外部に導出されている。また、ハウジング３０１は、基部と基部を覆う蓋とにより形成され、蓋は、たとえば、図３中符号Ｂで示す軸を回転軸として、回動され開放できる。これにより、ハウジング３０１は開閉自在となっており、信号線１０６をハウジング３０１内部へ収容することができる。
【００４４】
（実施の形態１の配線保持装置の動作）
図４は、実施の形態１の配線保持装置を適用したパチンコ遊技機を示す背面図（その２）である。図４に示したように、パチンコ遊技機１０１は、たとえば、メンテナンスがおこなわれる際に、機枠１０１ｂに対して、本体部１０１ａが軸Ａを回転軸として、正面側へ回動され開放される。
【００４５】
このとき、信号線１０６は、一端側１０６ａが、他端側１０６ｂから遠ざかるように変位する。これにより、信号線１０６は引っ張られ、ハウジング３０１内部に収容されていた信号線１０６が、ハウジング３０１外部へ引き出される。これにより、ハウジング３０１内部の巻き径は、引き出された信号線１０６の長さに応じて小さくなる。
【００４６】
図５は、実施の形態１の配線保持装置を示す斜視図（その２）である。図５に示したように、本体部１０１ａが機枠１０１ｂに対して完全に開かれた場合には、ハウジング３０１内部の信号線１０６の巻き径は、ｄ（Ｄ＞ｄ）となる。
【００４７】
つぎに、本体部１０１ａを閉じる場合、信号線１０６の一端側１０６ａが、他端側１０６ｂに近づくように変位する。これにより、信号線１０６を引っ張っている力が減少する。信号線１０６を引っ張っている力が減少した場合、信号線１０６の復元力により、信号線１０６がハウジング３０１内部に引き込まれる。これにより、ハウジング３０１内部の巻き径は、引き込まれた信号線１０６の長さに応じて大きくなる。そして、本体部１０１ａが機枠１０１ｂに対して完全に閉じられた場合には、信号線１０６の巻き径がＤとなる。
【００４８】
上述したように、実施の形態１の配線保持装置１０７によれば、信号線１０６の復元力を利用し、信号線１０６をハウジング３０１内部へ引き込むことにより、撓みを防止することができる。これにより、撓んだ信号線が、本体部１０１ａと機枠１０１ｂとの間に挟まれることを防止できる。また、これにより、作業者の手が、撓んだ信号線に引っかかることを防止でき、作業性の低下を防止することができる。また、信号線１０６は、ハウジング３０１外部に自由に引き出し可能なため、非接触ＩＣタグ１０３（受信アンテナ１０４）の取り付け位置を選ばず、非接触ＩＣタグ１０３（受信アンテナ１０４）の位置変更にも、柔軟に対応することができる。
【００４９】
また、実施の形態１では、配線保持装置１０７を固定せず、信号線１０６にぶら下がった構成としたが、配線保持装置１０７を、たとえば、本体部１０１ａ背面の任意の位置に固定することとしてもよい。この場合、本体部１０１ａと、機枠１０１ｂとの境界付近を避けて固定することが好ましい。こうすることによって、より確実に、信号線１０６が、本体部１０１ａと機枠１０１ｂとの間に挟まれることを防止することができる。
【００５０】
また、巻回回数を所望の信号線１０６の長さから選択することとしてもよい。たとえば、巻回回数が２回の場合と、巻回回数が３回の場合と、を比較した場合、巻回回数が３回の場合の方が、信号線１０６を、より長くハウジング３０１外部に引き出すことができる。すなわち、引き込む（引き出す）信号線１０６の長さの変化量から、巻回回数を選択することとしてもよい。
【００５１】
以上、説明したように、実施の形態１の配線保持装置１０７は、簡易な構造で信号線１０６を保持し、本体部１０１ａがどのような開閉状態であっても、信号線１０７の撓みを防止することができる。また、非接触ＩＣタグ１０３（受信アンテナ１０４）の取り付け位置を選ばず、配線の引き回しを容易におこなえ、柔軟に配線でき、配線の作業性を向上できる。
【００５２】
（実施の形態２）
（実施の形態２の配線保持装置の構成）
つぎに、この発明の実施の形態２にかかる配線保持装置について説明する。実施の形態２は、実施の形態１と同一部分は同一符号とし、説明を省略する。図６は、実施の形態２の配線保持装置を示す斜視図である。
【００５３】
実施の形態２の配線保持装置６００は、信号線１０６（図示は省略する）と、ハウジング６０１と、を備えている。ハウジング６０１は、実施の形態１で示したハウジング３０１と同等の外形寸法で形成されている。ハウジング６０１には、実施の形態１と同様にして、開口部３０２ａ、３０２ｂが開口形成されている。ハウジング６０１は、図６中符号Ｂで示す軸を回転軸として、回動され開放できる基部６０１ａと、蓋６０１ｂと、により構成されている。
【００５４】
基部６０１ａには、内壁６０２ａ〜６０２ｃが立設されている。内壁６０２ａは、直径ｄ1の略円柱形状に形成されている。内壁６０２ｂは、直径ｄ2である２箇所の切り欠部を有する略円筒形状に形成されている。内壁６０２ｃは、直径ｄ3である２箇所の切り欠部を有する略円筒形状に形成されている。それぞれの内壁は基部６０１ａの中心を軸心としている。
【００５５】
ハウジング６０１ａ内部の領域は、上述した内壁６０２ａ〜６０２ｃにより、内壁６０２ａと内壁６０２ｂとによって形成される第１領域６０３ａと、内壁６０２ｂと内壁６０２ｃとによって形成される第２領域６０３ｂと、内壁６０２ｃと基部６０１ａとによって形成される第３領域６０３ｃと、に分割されている。図示を省略するが、ハウジング６０１内部には、信号線１０６が、第１〜３領域のいずれかの領域に巻回された状態で収容される。信号線１０６は、切り欠部や開口部３０２ａ、３０２ｂを介してハウジング６０１外部に導出される。
【００５６】
（実施の形態２の配線保持装置の動作）
つぎに、実施の形態２の配線保持装置６００の動作について説明する。実施の形態２の配線保持装置６００においても、基本的な動作は、実施の形態１の配線保持装置１０７と同様である。すなわち、本体部１０１ａが機枠１０１ｂに対して回転された量に応じて、信号線１０６がハウジング６０１外部へ引き出されたり、ハウジング６０１内部に引き込まれたりする。
【００５７】
ここで、上述したように、配線保持装置６００において、信号線１０６は、第１〜３領域のいずれかの領域で巻回される。具体的には、蓋６０１ｂを開放させ、所望の領域の内壁６０２ａ〜６０２ｃのいずれかに沿って、信号線１０６を巻回させればよい。ただし、信号線１０６は、巻回する領域の外側の内壁に沿って巻回させておく。これにより、ハウジング６０１内部での信号線１０６の巻き径の大きさが規制される。すなわち、第１領域に信号線１０６が巻回されている場合には巻き径がｄ1〜ｄ2に規制される。同様にして、第２領域に信号線１０６が巻回されている場合にはｄ2〜ｄ3に、第３領域に信号線１０６が巻回されている場合にはｄ3〜Ｄに、それぞれ規制される。
【００５８】
図７は、実施の形態２の配線保持装置を示す断面図である。図７に示したように、信号線１０６が、第１領域に巻回されている場合には、信号線１０６がもっともハウジング６０１に引き込まれた場合の長さはＬ1となる。信号線１０６が、第２領域に巻回されている場合には、信号線１０６がもっともハウジング６０１に引き込まれた場合の長さはＬ2（Ｌ1＞Ｌ2）となる。
【００５９】
上述したように、実施の形態２の配線保持装置６００によれば、所望の信号線１０６の長さに応じて、信号線１０６を巻回させる領域を選択することで、引き込む（引き出す）信号線１０６の長さを調節することができ、所望の長さを得ることができる。さらに、実施の形態１で説明したように、巻回回数を考慮した場合には、より柔軟に、引き込む（引き出す）信号線１０６の長さを調節することができる。
【００６０】
また、実施の形態２では、第１〜３領域までとしたが、これに限らない。すなわち、内壁を立設することにより、任意の個数の領域に分割することとしてもよい。領域が少ない場合には、巻き径の大きさの変化量を大きくすることができ、領域が多い場合には、巻き径の大きさの変化量を小さくすることができる。
【００６１】
以上、説明したように、実施の形態２の配線保持装置６００は、簡易な構造で信号線１０６を保持し、本体部１０１ａがどのような開閉状態であっても、信号線１０７の撓みを防止できるとともに、ハウジング６０１内部の巻き径を変更して、引き込む（引き出す）信号線１０６の長さを調節することができる。また、非接触ＩＣタグ１０３（受信アンテナ１０４）の取り付け位置を選ばず、配線の引き回しを容易におこなえ、柔軟に配線でき、配線の作業性を向上できる。
【００６２】
（実施の形態３）
（実施の形態３の配線保持装置の構成）
つぎに、この発明の実施の形態３にかかる配線保持装置について説明する。実施の形態３は、実施の形態１および実施の形態２と同一部分は同一符号とし、説明を省略する。図８は、実施の形態３の配線保持装置を示す斜視図（その１）である。
【００６３】
図８に示したように、実施の形態３の配線保持装置８００は、信号線１０６と、リング材８０１と、チューブ材８０２と、を備えている。リング材８０１は、たとえば、プラスチックなどを用いて、信号線１０６が２回巻回されている場合には、信号線１０６の直径の３倍より或る程度大きい内周円直径を有したリング状に形成されている。
【００６４】
チューブ材８０２は、たとえば、可撓性のゴム材などを用いて、両端部８０２ａ、８０２ｂが或る程度リング材８０１方向へ湾曲した形状に形成される。また、チューブ材８０２は、たとえば、信号線１０６が２回巻回されている場合には、信号線１０６の直径の２倍より或る程度大きい内周円直径を有した略円筒形状に形成されている。チューブ材８０２は、たとえば、本体部１０１ａが閉められた状態の信号線１０６の巻き径がＤのとき、巻回された信号線１０６の円周（πＤ）に対して、１／２〜３／４を覆う程度である。信号線１０６は、リング材８０１内周面およびチューブ材８０２内周面に沿って、所定回数（図７では、２回）、巻回されている。チューブ材８０２は、信号線１０６の復帰を補助する。
【００６５】
（実施の形態３の配線保持装置の動作）
つぎに、実施の形態３の配線保持装置８００の動作について説明する。図９は、実施の形態３の配線保持装置を示す斜視図（その２）である。図９に示したように、実施の形態３の配線保持装置８００は、たとえば、本体部１０１ａを開いた場合、信号線１０６の一端側１０６ａは、他端側１０６ｂから遠ざかるように変位する。これにより、巻回された信号線１０６および信号線１０６に当接するチューブ材８０２は、楕円状になり、チューブ材８０２両端部８０２ａ、８０２ｂはリング材８０１に近づくように変形する。このとき、チューブ材８０２は、復元力を生じる。
【００６６】
本体部１０１ａを閉じる場合、信号線１０６の一端側１０６ａが、他端側１０６ｂに近づくように変位する。これにより、信号線１０６を引っ張っている力が減少する。信号線１０６を引っ張る力が減少した場合、信号線１０６およびチューブ材８０２の復元力により、信号線１０６およびチューブ材８０２は、巻き径Ｄの状態に戻り、信号線１０６がチューブ材８０２内部に引き込まれるように変形する。そして、本体部１０１ａが機枠１０１ｂに対して完全に閉じられた場合には、信号線１０６の巻き径がＤになり、変形が停止する。
【００６７】
上述したように、実施の形態３の配線保持装置８００によれば、たとえば、信号線１０６が復元力の弱い材質で構成されている場合においても、復帰を補助するチューブ材８０２を用いることにより、信号線１０６の撓みを防止することができる。これにより、信号線１０６の構成に関わらず、撓みを防止することができる。
【００６８】
また、実施の形態３では、チューブ材８０２の形状を、あらかじめ、所望の復元力の大きさに応じて形成しておくことで、復元力を或る程度調整することができる。すなわち、復元力を小さくしたい場合には、あらかじめ、チューブ材８０２の両端部８０２ａ、８０２ｂを或る程度、リング材８０１方向へ湾曲させて形成しておくことにより、復元力を小さくすることができる。逆に、復元力を大きくしたい場合には、あらかじめ、チューブ材８０２の両端部８０２ａ、８０２ｂを或る程度、リング材８０１を中心として互いに逆方向へ湾曲させて形成しておけばよい。
【００６９】
以上、説明したように、実施の形態３の配線保持装置８００は、信号線１０６の構成に関わらず、簡易的な構造で信号線１０６を保持し、本体部１０１ａがどのような開閉状態であっても、信号線１０７の撓みを防止することができる。また、非接触ＩＣタグ１０３（受信アンテナ１０４）の取り付け位置を選ばず、配線の引き回しを容易におこなえ、柔軟に配線でき、配線の作業性を向上できる。
【００７０】
以上に説明した実施の形態１〜３では、信号線１０６の一端側１０６ａを受信アンテナ１０４と半田付けし、他端側１０６ｂを検出器１０５の端子と端子接続することとしたが、必要に応じて、両端部１０６ａ、１０６ｂに接続を固定する固定部材を設けることが好ましい。これにより、信号線１０６に大きな力が生じた場合においても、両端部１０６ａ、１０６ｂが受信アンテナ１０４や検出器１０５と固定され、はずれることなく、信号を送受することができる。
【００７１】
以上、説明したように、本発明の配線保持装置によれば、信号線１０６の復元力を利用することにより、簡易な構造で、信号線１０６の撓みを防止することができる。これにより、信号線１０６が本体部１０１ａと機枠１０１ｂとの間に挟まれることを防止し、本体部１０１ａと機枠１０１ｂとに信号線が挟まり、信号線１０６が断線することを防止することができる。
【００７２】
また、本発明の配線保持装置によれば、信号線１０６の巻き径を規制することにより、所望の引き込む（引き出す）信号線１０６の長さを得ることができ、非接触ＩＣタグ１０３（受信アンテナ１０４）の取り付け位置を選ばず、配線の引き回しを容易におこなえ、柔軟に配線でき、配線の作業性を向上できる。
【産業上の利用可能性】
【００７３】
以上のように、本発明は、パチンコ遊技機や回胴遊技機などの各種遊技機に設けられた信号線を保持する配線保持装置に関し、特に、各種遊技機に設けられた非接触ＩＣタグと、当該非接触ＩＣタグから受信した信号情報に基づいて不正行為を検出する検出装置とを接続する信号線を保持する配線保持装置に適している。
【図面の簡単な説明】
【００７４】
【図１】実施の形態１の配線保持装置を適用したパチンコ遊技機を示す背面図（その１）である。
【図２】実施の形態１の配線保持装置を適用したパチンコ遊技機を示す正面図である。
【図３】実施の形態１の配線保持装置を示す斜視図（その１）である。
【図４】実施の形態１の配線保持装置を適用したパチンコ遊技機を示す背面図（その２）である。
【図５】実施の形態１の配線保持装置を示す斜視図（その２）である。
【図６】実施の形態２の配線保持装置を示す斜視図である。
【図７】実施の形態２の配線保持装置を示す断面図である。
【図８】実施の形態３の配線保持装置を示す斜視図（その１）である。
【図９】実施の形態３の配線保持装置を示す斜視図（その２）である。
【図１０】従来のパチンコ遊技機を示す背面図（その１）である。
【図１１】従来のパチンコ遊技機を示す背面図（その２）である。
【符号の説明】
【００７５】
１０１  パチンコ遊技機
１０２  遊技媒体貸出装置
１０３  非接触ＩＣタグ
１０４  受信アンテナ
１０５  検出器
１０６  信号線
１０７  配線保持装置
【図１】
2008289731.tif 000003
【図２】
2008289731.tif 000004
【図３】
2008289731.tif 000005
【図４】
2008289731.tif 000006
【図５】
2008289731.tif 000007
【図６】
2008289731.tif 000008
【図７】
2008289731.tif 000009
【図８】
2008289731.tif 000010
【図９】
2008289731.tif 000011
【図１０】
2008289731.tif 000012
【図１１】
2008289731.tif 000013